(57)【要約】【課題】  、駆動装置を介してカーテンを静かに自動開閉すると共に、手動にても軽く開閉可能となるカーテン装置を提供する。【解決手段】  駆動装置５とクラッチ部材６を備え、軸方向に対して緩やかな螺旋角度の回転駆動軸４にスライダ部材９を摺動自在に配設し、クラッチ部材６をオン状態として回転駆動軸４を自動的に回転してスライダ部材９を摺動させ、クラッチ部材６がオフ状態ではスライダ部材９を手動で移動可能な構成のカーテン装置１とした。【選択図】図１
2011062497.tif 000002
【特許請求の範囲】
【請求項１】
カーテンレールと、該カーテンレールの内部に回転自在に装着される回転駆動軸と、正逆転可能な駆動モータを備えて前記回転駆動軸を正逆転駆動する駆動装置と、該駆動装置と前記回転駆動軸を連結するクラッチ部材と、前記駆動装置をオンオフする駆動スイッチと、前記カーテンレールに摺動自在に装着されるカーテンランナーと、前記回転駆動軸に沿って摺動移動するスライダ部材を備え、カーテンの移動端部に設けるカーテンフックを前記スライダ部材に装着し、カーテンの中間部に設けるカーテンフックを前記カーテンランナーに装着し、前記回転駆動軸を正転逆転してカーテンの開閉を行うと共に、前記駆動装置がオンされたときに前記クラッチ部材が作動して前記回転駆動軸を回転し、前記駆動装置がオフの状態では前記クラッチ部材が開放されて、前記回転駆動軸が回転自在となるカーテン装置とし、さらに、前記回転駆動軸の螺旋角度を、軸方向に対して４５度以下の緩やかな角度として、前記スライダ部材を手動で移動可能としたことを特徴とするカーテン装置。
【請求項２】
前記回転駆動軸の中央部から一方側を、外周の四箇所に凹部を有し断面が十字状となる棒材を右ねじ方向に螺旋状に捩じった右スライド軸とし、前記中央部から他方側を、外周の四箇所に凹部を有し断面が十字状の棒材を左ねじ方向に螺旋状に捩じった左スライド軸とし、それぞれのスライド軸にそれぞれスライダ部材を設けると共に、スライダ部材が備える摺動孔部に、軸方向の所定距離期間した二箇所に、前記凹部に係合する上下一対の突部を有する第一、第二係合部を設けたことを特徴とする請求項１に記載のカーテン装置。
【請求項３】
前記スライダ部材に二つのカーテンフック装着部を設け、カーテンの移動端と該移動端から離れた内側との二箇所を保持する構成としたことを特徴とする請求項１または２に記載のカーテン装置。
【請求項４】
前記カーテンレールをアルミ押出型材製とし、このカーテンレールの一端に、前記回転駆動軸を回転自在に支持する支持フレームを装着し、当該カーテンレールの他端に、前記回転駆動軸を回転自在に支持すると共に前記駆動装置を装着可能なサイドフレームを装着したことを特徴とする請求項１から３のいずれかに記載のカーテン装置。
【請求項５】
前記回転駆動軸の中央部および両端部に前記スライダ部材が当接する停止板と緩衝部材を備えた停止部材を設け、前記スライダ部材の停止位置を規定することを特徴とする請求項１から４のいずれかに記載のカーテン装置。
【請求項６】
前記螺旋角度を２５度〜４０度としたことを特徴とする請求項６に記載のカーテン装置。
【発明の詳細な説明】
【技術分野】
【０００１】  本発明は、カーテンの自動開閉が可能なカーテン装置に関するものである。
【背景技術】
【０００２】  従来、カーテンは、カーテンレールにカーテンランナーをスライド可能に装着して、カーテンを吊り下げるカーテンフックをカーテンランナーに引っ掛け、カーテンの端を摘んで開閉する構成とされている。【０００３】  また、一本のカーテンレールに二枚のカーテンを左右対称に備えた構成として、それぞれのカーテンを人が手動で移動して開いたり閉じたりしている。このように、カーテンを手動で開閉することが一般的であるが、場合によっては人手を介さずに、カーテンを自動的に開閉する構成であれば便利であり好ましいといえる。【０００４】  そのために、電動モータを用いてカーテンの開閉を可能とすることが追求されており、送りボールねじ部材を正転・逆転して往復移動するナット部材にカーテンフックを装着して自動開閉する電動カーテン開閉装置がすでに出願されている（例えば、特許文献１参照）。
【先行技術文献】
【特許文献】
【０００５】
【特許文献１】  特開平１０−１９２１３０号公報
【発明の概要】
【発明が解決しようとする課題】
【０００６】  しかし、送りボールねじを用いてカーテンを開閉する方法では、送りボールねじと摺動移動するナット部材との間に生じる摩擦により磨耗粉が生じたり異音が生じたりする問題がある。そのために、磨耗粉や異音を発生せずにカーテンを静かに自動開閉することが望まれている。【０００７】  また、手動にても容易に開閉できることが好ましく、左右一対のカーテンを人が容易に手動にて開閉可能でもあることが求められる。【０００８】  そのために、左右一対のカーテンを静かにスムーズに自動開閉することができ、さらに、手動にても容易に開閉可能な構成のカーテン装置であることが望まれる。【０００９】  本発明は、上記問題点に鑑み、駆動装置を介してカーテンを静かに自動開閉すると共に、手動にても軽く開閉可能となるカーテン装置を提供することを目的とする。
【課題を解決するための手段】
【００１０】  上記課題を解決するために本発明は、カーテンレールと、該カーテンレールの内部に回転自在に装着される回転駆動軸と、正逆転可能な駆動モータを備えて前記回転駆動軸を正逆転駆動する駆動装置と、該駆動装置と前記回転駆動軸を連結するクラッチ部材と、前記駆動装置をオンオフする駆動スイッチと、前記カーテンレールに摺動自在に装着されるカーテンランナーと、前記回転駆動軸に沿って摺動移動するスライダ部材を備え、カーテンの移動端部に設けるカーテンフックを前記スライダ部材に装着し、カーテンの中間部に設けるカーテンフックを前記カーテンランナーに装着し、前記回転駆動軸を正転逆転してカーテンの開閉を行うと共に、前記駆動装置がオンされたときに前記クラッチ部材が作動して前記回転駆動軸を回転し、前記駆動装置がオフの状態では前記クラッチ部材が開放されて、前記回転駆動軸が回転自在となるカーテン装置とし、さらに、前記回転駆動軸の螺旋角度を、軸方向に対して４５度以下の緩やかな角度として、前記スライダ部材を手動で移動可能としたカーテン装置としたことを特徴とする。【００１１】  この構成によると、回転駆動軸の正転逆転に伴ってスライダ部材が摺動移動するので、クラッチ部材を作用させて駆動装置を介して自動開閉することも、クラッチ部材を開放し回転駆動軸を回転フリーとしたまま、手動でカーテンを開いたり閉めたりする動作で、スライダ部材を容易に移動させることが可能となって、自動開閉と手動開閉が可能なカーテン装置となる。【００１２】  また本発明は、上記構成のカーテン装置において、前記回転駆動軸の中央部から一方側を、外周の四箇所に凹部を有し断面が十字状となる棒材を右ねじ方向に螺旋状に捩じった右スライド軸とし、前記中央部から他方側を、外周の四箇所に凹部を有し断面が十字状の棒材を左ねじ方向に螺旋状に捩じった左スライド軸とし、それぞれのスライド軸にそれぞれスライダ部材を設けると共に、スライダ部材が備える摺動孔部に、軸方向の所定距離期間した二箇所に、前記凹部に係合する上下一対の突部を有する第一、第二係合部を設けたことを特徴としている。この構成によると、回転駆動軸を回転すると、螺旋状に捩じられた凹部に係合する突部を備えた第一、第二係合部がガイド部となってスライダ部材が静かに摺動移動するので、回転駆動軸を正転逆転して、左右一対のカーテンを同時に静かに軽く開閉することができる。【００１３】  また本発明は、上記構成のカーテン装置において、前記スライダ部材に二つのカーテンフック装着部を設け、カーテンの移動端と該移動端から離れた内側との二箇所を保持する構成としたことを特徴としている。この構成によると、カーテンの先端の姿勢を綺麗に保持して自動開閉、また、手動開閉することができる。【００１４】  また本発明は、上記構成のカーテン装置において、前記カーテンレールをアルミ押出型材製とし、このカーテンレールの一端に、前記回転駆動軸を回転自在に支持する支持フレームを装着し、当該カーテンレールの他端に、前記回転駆動軸を回転自在に支持すると共に前記駆動装置を装着可能なサイドフレームを装着したことを特徴としている。この構成によると、駆動装置と回転駆動軸を支持するカーテンレールをア��ミ押出型材製としたので、比較的柔らかい材質が備える吸振性能を発揮して、駆動装置を起動することで生じる振動や騒音を抑制することができ、カーテンを静かに自動開閉することができる。【００１５】  また本発明は、上記構成のカーテン装置において、前記回転駆動軸の中央部および両端部に前記スライダ部材が当接する停止板と緩衝部材を備えた停止部材を設け、前記スライダ部材の停止位置を規定することを特徴としている。この構成によると、スライダ部材の摺動移動を、緩衝部材を備えた停止部材を用いて停止させるので、カーテンの開閉時の移動端での衝撃を和らげて静かな開閉を行うことができる。また、駆動装置を停止する適度な負荷に設定可能となる。【００１６】  また本発明は、上記構成のカーテン装置において、前記螺旋角度を２５度〜４０度としたことを特徴としている。この構成によると、カーテンを比較的容易に手動開閉することができる。
【発明の効果】
【００１７】  本発明によれば、駆動装置とクラッチ部材を備え、軸方向に対して緩やかな螺旋角度の回転駆動軸にスライダ部材を摺動自在に配設しているので、クラッチ部材をオン状態として回転駆動軸を自動的に回転してスライダ部材を摺動させ、クラッチ部材がオフ状態ではスライダ部材を手動で移動可能な構成とし、駆動装置を介してカーテンを静かに自動開閉すると共に、手動にても軽く開閉可能となるカーテン装置を得ることができる。
【図面の簡単な説明】
【００１８】
【図１】本発明に係るカーテン装置の全体構成を示す概略説明図である。
【図２】スライダ部材を示す概略説明図であって、（ａ）は正面図を示し、（ｂ）は断面図を示す。
【図３】スライダ部材の移動を規制する停止部材を示す要部拡大図である。
【発明を実施するための形態】
【００１９】  以下に本発明の実施形態を図面を参照して説明する。また、同一構成部材については同一の符号を用い、詳細な説明は適宜省略する。
【００２０】  本発明に係るカーテン装置は、回転駆動軸を用いてカーテンを自動開閉可能とする装置であって、図１に示すように、カーテンレール２と、該カーテンレール２の内部に回転自在に装着される回転駆動軸４と、該回転駆動軸４を回転駆動する駆動装置５と、該駆動装置５と回転駆動軸４を連結するクラッチ部材６と、駆動装置５をオンオフする駆動スイッチ７と、カーテンレール２に摺動自在に装着されるカーテンランナー８と、回転駆動軸４に沿って摺動移動するスライダ部材９を備えている。
【００２１】  また、カーテン３の移動端部に設けるカーテンフック１０Ａをスライダ部材９に装着し、カーテン３の中間部に設けるカーテンフック１０Ｂをカーテンランナー８に装着し、回転駆動軸４を正転逆転してカーテンの開閉を行うと共に、駆動装置５がオンされたときにクラッチ部材６が作動して回転駆動軸４を回転し、駆動装置５がオフの状態ではクラッチ部材６が開放されて、回転駆動軸４が回転自在となるカーテン装置１としている。
【００２２】  そのために、駆動装置５に正逆転可能な駆動モータ５１と減速器５２を設け、この駆動モータ５１を正転・逆転して回転駆動軸４を所定の回転数で正転逆転させて、スライダ部材９を所定の速度で摺動移動させることができる。また、クラッチ部材６をオン状態にして作用させて駆動装置５の駆動力を回転駆動軸４に伝達し、クラッチ部材６をオフ状態にして開放して回転駆動軸４をフリーとすることができ、カーテン３の自動開閉と手動開閉が可能な構成である。そのために、クラッチ部材６を開放した状態でカーテン３を引っ張ると、この力でスライダ部材９が移動し、回転駆動軸４が回転される。つまり、カーテン３を開いたり閉めたりする動作で、スライダ部材を移動させることが可能となって、自動開閉と手動開閉が可能なカーテン装置１となる。
【００２３】  また、カーテン３が、左右一対のカーテン３Ａ、３Ｂを備えた両開き構成であれば、回転駆動軸４を正転・逆転して、一斉にカーテン３を開閉するために、カーテン３Ａ側の回転駆動軸と、カーテン３Ｂ側の回転駆動軸の螺旋溝を逆方向とする。
【００２４】  そのために、回転駆動軸４の円柱状の中央部４Ｃから一方側を、外周の四箇所に凹部を有し断面が十字状となる棒材を右ねじ方向に螺旋状に捩じった右スライド軸４Ａとし、前記中央部４Ｃから他方側を、外周の四箇所に凹部４１を有し断面が十字状の棒材を左ねじ方向に螺旋状に捩じった左スライド軸４Ｂとしている。また、それぞれのスライド軸にそれぞれスライダ部材９を装着している。
【００２５】  スライダ部材９は、図２（ａ）に示すように、回転駆動軸４が挿通自在な摺動孔部９１ａを有する環状部９１と平板状のプレート部９２を備えており、摺動孔部９１ａに、軸方向の所定距離Ｌ離間した二箇所に、前記凹部４１に係合する上下左右の突部９３を有する第一係合部Ｋ１、第二係合部Ｋ２を設けた構成としている。そのために、回転駆動軸４が回転すると、後述するカーテンレール２の開口部２１から下方に突出しているプレート部９２が開口部２１の側壁に当接してガイドされ、軸方向の二箇所の上下左右を支持した状態で滑らかに摺動移動可能となる。つまり、回転駆動軸４を回転すると、開口部２１と螺旋状に捩じられた凹部４１に係合する突部９３を備えた第一、第二の係合部Ｋ（Ｋ１、Ｋ２）が、軸方向のこじれや撓みを抑制するガイド部となってスライダ部材９が静かに滑らかに摺動移動可能となって、回転駆動軸４を正転逆転して、左右一対のカーテン３を同時に静かに軽く開閉することができる。
【００２６】  回転駆動軸４は金属製でも硬質な樹脂製であってもよい。本実施形態では、円柱状の中央部４Ｃから延設するスライド軸部を、その断面が十字状となるアルミ製の棒材を所定の螺旋角度で捩じったものを用いている。また、スライダ部材９は樹脂製であり、アルミ材からなる凹部４１に樹脂製の突部９３が係合している。また、突部９３は、軸方向に所定距離Ｌ離間した位置のそれぞれの上下左右二箇所に設けているので、軸方向に滑らかな摺動移動が可能であって、カーテン３の滑らかな開閉操作が可能となる。
【００２７】  スライダ部材９のプレート部９２には、二つのカーテンフック装着部９４、９４を設け、カーテン３（３Ａ、３Ｂ）の移動端と該移動端から離れた内側との二箇所を保持する構成としている。そのために、カーテン３（３Ａ、３Ｂ）の先端の姿勢を綺麗に保持して自動開閉、また、手動開閉することができる。
【００２８】  図２（ｂ）に示すように、カーテンレール２は下側に開口部２１を備えた上下に細長い断面コの字状の長尺な形状であって、所定断面形状の型材製で作製することができる。本実施形態では、前述した回転駆動軸４を収納可能な第一空隙部２２と、カーテンランナー８を摺動自在に載置するガイドレール２３と、カーテンランナー８を摺動自在に収納する第二空隙部２４を備える断面形状のアルミ押出型材製を用いている。
【００２９】  カーテンランナー８は、カーテンレール２内のガイドレール２３上を摺動する円弧状の摺動面を備えるランナー部８ａと、該ランナー部８ａから垂下している脚部８ｂと、該脚部８ｂの下部に設けられている丸穴状のカーテンフック装着部８ｃとを備えている。そのために、カーテンフック装着部８ｃにカーテンフックを装着して、カーテン３を吊り下げることができる。
【００３０】  カーテンランナー８は、後述する支持フレーム２５を装着する前のカーテンレール２の側部開放端から、所定数量予め第二空隙部２４に挿入しておくことができる。また、ランナー部８ａの径の大きさを開口部２１の幅よりも小さな大きさとしておくと、ランナー部８ａの軸をカーテンレール２の長手方向に合致させて開口部２１から挿入して９０度回転するようにして後付けで装着することもできる。
【００３１】  また、カーテンレール２の一方の端部に、回転駆動軸４を回転自在に支持する支持フレーム２５を装着し、他方の端部に、回転駆動軸４を回転自在に支持すると共に駆動装置５を装着可能なサイドフレーム２６を装着して、回転駆動軸４をカーテンレール２内に回転自在に支持する構成としている。つまり、カーテンレール２が駆動装置５と回転駆動軸４を支持する構成である。このような構成において、カーテンレール２がアルミ押出型材製であれば、比較的柔らかい材質であるアルミ材が発揮する吸振性能によって、駆動装置５を駆動することで生じる振動やびびり音を抑制することができ、カーテン３を静かに開閉することができる。つまり、駆動装置５を用いても、静かな自動開閉が可能となる。
【００３２】  回転駆動軸４の螺旋角度は、スライダ部材９を手動で移動可能な程度に、軸方向に対して４５度以下の緩やかな角度であることが好ましい。さらに、２５度〜４０度程度の小さな角度であれば、カーテン３を手動で開閉する際の負荷を小さくすることができ、カーテン３をより容易に手動開閉することができ、さらに好ましい。２５度よりも小さい角度であれば、駆動モータの回転数を極端に小さくしないとカーテンを所定の速さで開閉できなくなるので好ましくない。また４０度よりも大きな角度であれば、カーテンを手動で引っ張る力を大きくしないとスライダ部材９が摺動移動しないので好ましくない。
【００３３】  そのために、断面が十字状の棒材を螺旋状に捩じった回転駆動軸４を用いて自動開閉と手動開閉を同時に使用可能とするための、好適な螺旋角度があることは明らかであって、アルミ押出型材製の回転駆動軸４と樹脂製のスライダ部材９を用いた本実施形態では、軸方向に対して２５度〜４０度程度の螺旋角度が、より好ましいことが判った。
【００３４】  カーテン３（３Ａ、３Ｂ）の開閉の位置、全開位置と全閉位置は定まっているので、回転駆動軸４を自動回転させても、所定の開位置と閉位置で停止することが好ましい。そのために、本実施形態では、駆動モータ５１を正転逆転可能なモータとし、減速器５２を介して適当な回転数に減速する構成としている。また、スライダ部材９が開位置端または閉位置端に到達したときの負荷トルクを駆動モータ５１を停止するトルク閾値とすることで、駆動モータ５１の駆動状態を制御し、回転駆動軸４の回転・停止を制御することができる。
【００３５】  そのために、図３に示すように、回転駆動軸４の中央部および両端部にスライダ部材９の環状部９１が当接する停止板１１と緩衝部材１２を備えた停止部材１３を設け、スライダ部材９の停止位置を規定する構成としている。緩衝部材１２は所定の弾性を発揮する部材であればよく、バネ材やゴム材などを用いることができる。本実施形態では、所定のバネ力を有するコイルバネを用いている。
【００３６】  上記の構成であれば、摺動移動するスライダ部材９により押圧される緩衝部材１２が所定の量変形した際のバネ力を、モータ停止のトルク閾値に設定可能となる。また、弾性的に変位する停止部材１３を用いて停止させるので、カーテン３の開閉時の移動端での衝撃を和らげて静かな開閉を行うことができる。
【００３７】  スライダ部材９のカーテンフック９４を備えるプレート部９２は、環状部９１の幅よりも広くて軸方向の前後に長い形状とされている。また、カーテン３を閉じる際に、左右一対のスライダ部材９、９がそれぞれ中央部に設ける停止部材１３に係合して停止するときに、カーテン３Ａ、３Ｂが丁度閉じる構成としている。カーテン３を開く際には、両端部に設ける停止部材１３に係合して停止して、それぞれのカーテン３Ａ、３Ｂが全開した状態となる。
【００３８】  上記のような構成としているので、カーテン３を自動開閉する際には、駆動スイッチ７を操作して、閉位置から開位置まで開く操作と、開位置から閉位置まで閉じる操作を自動的に行うことができる。また、駆動スイッチ７がオフの状態であれば、クラッチ部材６が開放された状態で、回転駆動軸４が回転フリーな状態となっているので、手動でカーテン３を引っ張る力で、スライダ部材９を摺動移動して、カーテン３を手動にて開閉することができる。また、手動の際には、スライダ部材９の停止位置によって、カーテン３の開き具合を所望の位置にしておくことができる。
【００３９】  上記したように、本発明によれば、駆動装置にクラッチ部材を連結して、駆動装置がオンのときにクラッチ部材が作用し、駆動装置がオフのときにはクラッチ部材が開放される構成としたので、カーテンの自動開閉と手動開閉を容易に行うことができる。
【００４０】  また、断面が十字状のアルミ製の棒材を所定の小さい螺旋角度で捩じった回転駆動軸に、上下一対の樹脂製の突部を備える係合部を軸方向に離間した二箇所に設けたスライダ部材を摺動させる構成としたので、静かなスムーズな摺動移動が可能となり、カーテンを静かに開閉することができる。
【００４１】  さらに、駆動装置や回転駆動軸をカーテンレールに支持させる構成とし、このカーテンレールをアルミ製の押出型材製としたので、モータを駆動した際に生じる振動やびびり音を抑制することができ、カーテンをさらに静かに自動開閉することができる。
【００４２】  そのために本発明は、静かに、また軽く自動開閉することも、手動で開閉することも可能とするカーテン装置として好適に利用可能となる。
【符号の説明】
【００４３】      １  カーテン装置
２  カーテンレール
３、３Ａ、３Ｂ  カーテン
４  回転駆動軸
４Ａ  右スライド軸
４Ｂ  左スライド軸
５  駆動装置
６  クラッチ部材
８  カーテンランナー
９  スライダ部材
１０Ａ、１０Ｂ  カーテンフック
１１  停止板
１２  緩衝部材
１３  停止部材
２５  支持フレーム
２６  サイドフレーム
５１  駆動モータ
【図１】
2011062497.tif 000003
【図２】
2011062497.tif 000004
【図３】
2011062497.tif 000005